(57)【要約】【課題】高さが異なる様々な種類のカーテンウォールを、その上下の振れ止めをした状態で支持できる架台を提供する。【解決手段】カーテンウォール１を支持し、揚重装置によって建物の外周面に沿って揚重される架台２０であって、揚重装置によって揚重される本体フレーム２１と、本体フレーム２１の下部に設けられ、カーテンウォール１の下部の振れ止めをした状態でカーテンウォールの荷重を支える下部振れ止め機構２５と、本体フレーム２１における下部振れ止め機構２５よりも上側に設けられ、カーテンウォール１の上部の振れ止めをする上部振れ止め機構２６と、下部振れ止め機構２５と上部振れ止め機構２６との高さ方向の距離を調整する調整機構４０とを備える。【選択図】図１０
2014114560.tif 000002
【特許請求の範囲】
【請求項１】
カーテンウォールを支持し、揚重装置によって建物の外周面に沿って揚重される架台であって、
前記揚重装置によって揚重される本体フレームと、
前記本体フレームの下部に設けられ、カーテンウォールの下部の振れ止めをした状態でカーテンウォールの荷重を支える下部振れ止め部と、
前記本体フレームにおける前記下部振れ止め部よりも上側に設けられ、カーテンウォールの上部の振れ止めをする上部振れ止め部と、
前記下部振れ止め部と前記上部振れ止め部との高さ方向の距離を調整する調整機構と
を備えるカーテンウォール支持用の架台。
【請求項２】
前記本体フレームに設けられ、カーテンウォールを前記本体フレームに引揚げる揚重装置を備える請求項１に記載のカーテンウォール支持用の架台。
【請求項３】
前記本体フレームに設けられ、建物に設置済のカーテンウォールのサッシに着脱可能に又は一体で設けられたガイドレールに沿って、前記本体フレームが昇降するように案内するガイド機構を備える請求項１又は請求項２に記載のカーテンウォール支持用の架台。
【請求項４】
前記ガイド機構は、
前記ガイドレールと共に、前記本体フレームのカーテンウォールの幅方向への振れを抑える第一のガイドローラーと、
前記ガイドレールと共に、前記本体フレームのカーテンウォールの厚み方向への振れを抑える第二のガイドローラーと
を備える請求項３に記載のカーテンウォール支持用の架台。
【発明の詳細な説明】
【技術分野】
【０００１】
本発明は、カーテンウォール支持用の架台に関する。
【背景技術】
【０００２】
カーテンウォールを屋外で建物外周面の設置位置まで搬送する搬送システムが知られている（例えば、特許文献１参照）。特許文献１に記載の搬送システムでは、先に設置された方立をガイドレールとし、カーテンウォールにガイドローラーをブラケットを介して取り付けて、ガイドレールとガイドローラーとによってカーテンウォールの上昇を案内している。
【先行技術文献】
【特許文献】
【０００３】
【特許文献１】特開平７−６２８７１号公報
【発明の概要】
【発明が解決しようとする課題】
【０００４】
特許文献１に記載の搬送システムでは、ガイドローラーが取り付けられたブラケットをボルトとナットとによりカーテンウォールの背面に取り付けている。そのため、カーテンウォール１の搬送前には、ブラケットをカーテンウォールに取り付ける作業が発生し、カーテンウォール１の搬送後には、ブラケットをカーテンウォールから取り外す作業が発生する。ここで、カーテンウォールをガイド機構付の架台に載せて上部と下部との振れ止めを行った状態で、架台を揚重装置で揚重すれば、ガイド機構をカーテンウォールに対して着脱する作業を不要にできる。しかしながら、上下の振れ止め機構を架台に設けることによって、架台に設置できるカーテンウォールの高さが制限されることになると、高さが異なる各種のカーテンウォール毎に専用の架台を製作しなければならなくなり、高コストになる。
【０００５】
本発明は、上記事情に鑑みてなされたものであり、高さが異なる様々な種類のカーテンウォールを、その上下の振れ止めをした状態で支持できる架台を提供することを課題とするものである。
【課題を解決するための手段】
【０００６】
上記課題を解決するために、本発明に係るカーテンウォール支持用の架台は、カーテンウォールを支持し、揚重装置によって建物の外周面に沿って揚重される架台であって、前記揚重装置によって揚重される本体フレームと、前記本体フレームの下部に設けられ、カーテンウォールの下部の振れ止めをした状態でカーテンウォールの荷重を支える下部振れ止め部と、前記本体フレームにおける前記下部振れ止め部よりも上側に設けられ、カーテンウォールの上部の振れ止めをする上部振れ止め部と、前記下部振れ止め部と前記上部振れ止め部との高さ方向の距離を調整する調整機構とを備える。
【０００７】
前記カーテンウォール支持用の架台は、前記本体フレームに設けられ、カーテンウォールを前記本体フレームに引揚げる揚重装置を備えてもよい。
【０００８】
前記カーテンウォール支持用の架台は、前記本体フレームに設けられ、建物に設置済のカーテンウォールのサッシに着脱可能に又は一体で設けられたガイドレールに沿って、前記本体フレームが昇降するように案内するガイド機構を備えてもよい。
【０００９】
前記カーテンウォール支持用の架台において、前記ガイド機構は、前記ガイドレールと共に、前記本体フレームのカーテンウォールの幅方向への振れを抑える第一のガイドローラーと、前記ガイドレールと共に、前記本体フレームのカーテンウォールの厚み方向への振れを抑える第二のガイドローラーとを備えてもよい。
【発明の効果】
【００１０】
本発明によれば、高さが異なる様々な種類のカーテンウォールを、その上下の振れ止めをした状態で支持できる架台を提供することができる。
【図面の簡単な説明】
【００１１】
【図１】一実施形態に係るカーテンウォールの搬送システムの概要を示す立面図である。
【図２】垂直搬送システムを示す立面図（正面図）である。
【図３】図２の３−３矢視図（側面図）である。
【図４】架台を示す平面図である。
【図５】ガイドローラーユニットを拡大して示す平面図である。
【図６】図５の６−６矢視図である。
【図７】図５の７−７断面図である。
【図８】下部振れ止め機構を拡大して示す側面図である。
【図９】上部振れ止め機構を拡大して示す側面図である。
【図１０】下部振れ止め機構と上部振れ止め機構との高さ方向の距離を調整する調整機構を示す側面図である。。
【図１１】水平搬送システムを示す側面図（一部断面図）である。
【図１２】一組の垂直搬送システムと水平搬送システムとを示す側面図である。
【発明を実施するための形態】
【００１２】
以下、本発明の一実施形態を、図面を参照しながら説明する。図１は、一実施形態に係るカーテンウォール１の支持用の架台２０を備える搬送システム１００の概要を示す立面図である。この図に示すように、搬送システム１００は、建設中の高層ビル２の屋外に設置された複数の垂直搬送システム１０及び複数の水平搬送システム５０とを備えている。カーテンウォール１は、上下２枚のガラスとこれらを保持するサッシとからなり、ビル1階分の高さを有する外壁ユニットである。
【００１３】
垂直搬送システム１０は、建設中の高層ビル２の複数階毎に２組ずつ設置され、水平搬送システム５０は、複数階毎に１組ずつ設置されている。垂直搬送システム１０は、建設中の高層ビル２の所定階のフロアレベルに設置された揚重装置１２と、揚重装置１２によって揚重される架台２０とを備えている。また、水平搬送システム５０は、揚重装置１２の設置階の１階下のフロアレベルに当該階の全周に亘って設置された水平レール６０と、水平レール６０に沿って移動可能に設けられた揚重装置５２とを備えている。垂直搬送システム１０では、揚重装置１２が、カーテンウォール１を支持した架台２０を、建設中の高層ビル２の外周面に沿って垂直（鉛直）に揚重する。そして、水平搬送システム５０では、揚重装置５２が、カーテンウォール１をその上部に取り付けられたブラケット３を介して吊持した状態で、水平レール６０に沿って水平に搬送する。
【００１４】
図２は、垂直搬送システム１０を示す立面図（正面図）であり、図３は、図２の３矢視図（側面図）である。また、図４は、架台２０を示す平面図である。これらの図に示すように、垂直搬送システム１０は、揚重装置１２と、揚重装置１２の設置階のフロアレベルに設置された架台１４と、架台１４上に水平移動可能に構成され、揚重装置１２が固定された移動台１６と、制御盤１８と、コントローラー１９とを備えている。
【００１５】
揚重装置１２は、電動ウインチであり、ワイヤＷを介して架台２０を揚重する。また、架台１４は、揚重装置１２の設置階の床面から屋外に張り出すように設置されている。この架台１４の上面には、ビル外周面に沿って延びる一対のレールが設けられ、移動台１６の下面には、レールに沿って走行可能な車輪１６Ａが設けられている。また、移動台１６の下面には、一対のアンカーブロック１６Ｂが設けられており、このアンカーブロック１６Ｂで移動台１６を架台１４に固定することが可能である。これにより、揚重装置１２をビル外周面に沿って水平に移動させて揚重装置１２の水平方向の位置を調整し、その位置で揚重装置１２を架台１４に固定することが可能である。
【００１６】
コントローラー１９は、ジョイスティック式の操作装置であり、有線で制御盤１８に接続されている。作業者によりコントローラー１９が操作されると、制御盤１８から揚重装置１２に駆動信号が送信されて揚重装置１２が駆動される。
【００１７】
架台２０は、２枚のカーテンウォール１が横に並べられて立てられた状態で設置される縦長の台であり、複数の角型の鋼管２１Ａ〜Ｆが組み合わされて構成された本体フレーム２１を備える。また、架台２０は、本体フレーム２１の上部に設置された左右一対の揚重装置２２と、本体フレーム２１の左側に設置された上下一対のガイドローラーユニット２３と、本体フレーム２１の右側に設置された上下一対のガイドローラーユニット２４と、本体フレーム２１の下部と上下方向中間部とに夫々設置された下部振れ止め機構２５及び上部振れ止め機構２６とを備えている。
【００１８】
鋼管２１Ａは、本体フレーム２１の上部に水平に配されている。この鋼管２１Ａには、左右一対のワイヤロープ取付部２７が設けられている。左右のワイヤロープ取付部２７は、鋼管２１Ａの軸方向中央部から等距離の位置に設けられており、揚重装置１２のフック１２Ｆに掛けられた玉掛けワイヤロープＷＲがシャックルＳを介して取り付けられている。また、鋼管２１Ａには、左右一対の揚重装置取付部２８が設けられている。左右の揚重装置取付部２８は、鋼管２１Ａの軸方向端部に設けられており、揚重装置２２が吊り下げられている。
【００１９】
左右一対の鋼管２１Ｂは、鉛直に配されてその上端が鋼管２１Ａに結合されている。左右の鋼管２１Ｂは、左右のワイヤロープ取付部２７の直下に配されている。上下一対の鋼管２１Ｃは、水平に配されて一対の鋼管２１Ｂの中間部又は下端部に結合されている。この鋼管２１Ｃの両端には、ガイドローラーユニット２３、２４が取り付けられている。
【００２０】
左右一対の鋼管２１Ｄは、左右一対の鋼管２１Ｂを左右に挟むように鉛直に配されて上下一対の鋼管２１Ｃに結合されている。また、左右一対の鋼管２１Ｅは、夫々鋼管２１Ｂと鋼管２１Ｄの上端部との間に水平に配されてこれらを結合している。さらに、鋼管２１Ｆは、本体フレーム２１の下部に水平に配されて左右一対の鋼管２１Ｄの下端に結合されている。
【００２１】
揚重装置２２は、電動式のチェーンブロックであり、カーテンウォール１の上部に取り付けられたブラケット３にフック２２Ｆを掛けた状態で、カーテンウォール１を架台２０上まで引揚げる。ガイドローラーユニット２３、２４は、架台２０の昇降を案内する。ここで、ビル外周面に設置済のカーテンウォール１のサッシには、仮設材であるガイドレール４が取り付けられており、このガイドレール４が複数階に亘って鉛直方向に連続している。ガイドローラーユニット２３、２４は、ガイドレール４に沿って昇降することにより、架台２０の昇降を案内する。
【００２２】
下部振れ止め機構２５は、鋼管２１Ｆの軸方向中央部及び両側部に取り付けられた３個の振れ止め材３７を備えており、これらによりカーテンウォール１の下部の振れ止めを行う。また、上部振れ止め機構２６は、左右一対の鋼管２１Ｄの上端部と左右一対の鋼管２１Ｂの上下方向中間部とに取り付けられた４個の振れ止め材３８を備えており、これらによりカーテンウォール１の上部の振れ止めを行う。
【００２３】
図５は、ガイドローラーユニット２３、２４を拡大して示す平面図であり、図６は、図５の６矢視図であり、また、図７は、図５の７−７断面図である。これらの図に示すように、ガイドレール４は、互いに平行な一対のフランジ４Ｆと、これらを結合する互いに平行な一対のウェブＷとにより、断面ＩＩ（ローマ数字の２）字状に構成されており、左右両側にコ字状の溝４Ｃが形成されている。
【００２４】
ガイドローラーユニット２３、２４は、複数のガイドローラー３１と、複数のガイドローラー３２とを備えている。複数のガイドローラー３１は、各組２個ずつの複数組に分けられており、各組の２個のガイドローラー３１は、一対のウェブ４Ｗを左右に挟むように配され、複数組のガイドローラー３１は、上下方向に並べて配されている。このガイドローラー３１は、カーテンウォール１に対して直交する回転軸の周りに回転可能であり、その外周面をウェブ４Ｗに当接させた状態で回転可能である。このため、複数組のガイドローラー３１とこれらに挟まれるウェブ４Ｗとが、架台２０の左右の振れを止める。
【００２５】
また、複数のガイドローラー３２は、各組２個ずつの複数組に分けられており、各組の２個のガイドローラー３１は、一対のウェブ４Ｗを左右に挟むように配され、複数組のガイドローラー３２は、上下方向に並べて配されている。このガイドローラー３２は、ビル外周面に対して平行な水平方向に配された回転軸の周りに回転可能であり、その外周面をフランジ４Ｆに当接させた状態で回転可能である。このため、複数組のガイドローラー３２とこれらを挟む一対のフランジ４Ｆとが、架台２０の前後の振れを止める。
【００２６】
図５に示すように、ガイドローラーユニット２３、２４は、左右一対のローラーホルダー３３を備えており、このローラーホルダー３３にガイドローラー３１、３２が回転可能に取り付けられている。また、鋼管２１Ｃには左右一対のブラケット３４が結合され、ローラーホルダー３３には左右一対のブラケット３３Ａが設けられている。この左右一対のブラケット３３Ａが左右一対のブラケット３４の間に挿入されており、これらは、左右方向に貫通する連結ピン３５により結合されている。
【００２７】
ここで、ガイドローラーユニット２３では、左右のブラケット３３Ａとそれらの外側のブラケット３４とが、隙間が無い状態で結合されているのに対して、ガイドローラーユニット２４では、左右のブラケット３３Ａとそれらの外側のブラケット３４とが、カラー３６を挟んだ状態で結合されている。すなわち、ガイドローラーユニット２４では、カラー３６の厚みを変えて左右のブラケット３３Ａとそれらの外側のブラケット３４との隙間を調整することによって、ガイドローラーユニット２４と鋼管２１Ｃとの左右方向の相対位置を調整することが可能になっている。
【００２８】
図８は、下部振れ止め機構２５を拡大して示す側面図である。この図に示すように、カーテンウォール１の下端には、ビル外周面に沿って水平に延びる溝１Ａが設けられている。下部振れ止め機構２５が備える３個の振れ止め材３７は、鋼管２１Ｆから前方へ水平に突出して直角に上側に屈曲するＬ字状のフック部３７Ａを備えている。このフック部３７Ａの先端が、カーテンウォール１の下端の溝１Ａに嵌ることにより、カーテンウォール１の下部の前後の振れが止まる。
【００２９】
図９は、上部振れ止め機構２６を拡大して示す側面図である。この図に示すように、カーテンウォール１の上端には、ビル外周面に沿って水平に延びる溝１Ｂが設けられている。上部振れ止め機構２６が備える４個の振れ止め材３８は、鋼管２１Ｂ又は鋼管２１Ｄの側面に回動可能に取り付けられたＬ字状のフック部３８Ａと、このフック部３８Ａを図中反時計周り方向に付勢するバネ（図示省略）とを備えている。フック部３８Ａは、鋼管２１Ｂ又は鋼管２１Ｄから前方へ突出して直角に下側に屈曲する。このフック部３８Ａの先端が、カーテンウォール１の上端の溝１Ｂに嵌ることにより、カーテンウォール１の上部の前後の振れが止まる。また、フック部３８Ａをバネの付勢力に抗して図中時計周り方向に回動させることにより、フック部３８Ａをカーテンウォール１の上部の溝１Ｂから外すことができる。
【００３０】
図１０は、下部振れ止め機構２５と上部振れ止め機構２６との高さ方向の距離を調整する調整機構４０を示す側面図である。この図に示すように、調整機構４０は、鋼管２１Ｆと一体で形成されて鋼管２１Ｆから鉛直上方に延びる角型の鋼管４１を備える。この鋼管４１には、鋼管２１Ｄの下部が挿入されており、鋼管４１と鋼管２１Ｄの下部とはボルトで固定されている。
【００３１】
ここで、鋼管４１及び鋼管２１Ｄの下部には上下方向に所定間隔で複数のボルト通し孔Ｈが形成されており、鋼管４１と鋼管２１Ｄとの結合位置を変えることにより、鋼管２１Ｄの下端から鋼管２１Ｆまでの長さを調整し、下部振れ止め機構２５と上部振れ止め機構２６との高さ方向の距離を調整することが可能である。これによって、カーテンウォール１の高さ寸法に応じて、下部振れ止め機構２５と上部振れ止め機構２６との高さ方向の距離を調整することが可能であり、高さ寸法が異なる複数種類のカーテンウォール１を、架台２０に設置することが可能である。
【００３２】
図１１は、水平搬送システム５０を示す側面図（一部断面図）である。これらの図に示すように、水平搬送システム５０は、揚重装置５２と、水平レール６０と、水平レール６０を設置階に支持する架台６２と、揚重装置５２を水平レール６０に移動可能に支持する支持機構７０と、揚重装置５２に給電する給電機構８０とを備えている。
【００３３】
揚重装置５２は、電動チェーンブロックであり、チェーンＣとブラケット３とを介してカーテンウォール１を揚重する。この揚重装置５２は、不図示の有線又は無線のリモコンで操作される。水平レール６０は、Ｉ形鋼である。架台６２は、揚重装置５２の設置階の床面から屋外に張り出すように設置されており、この架台６２の先端部の下面に水平レール６０の上側のフランジ６０Ｆが固定されている。また、架台６２の先端部と上階の架台２０の基端部とは斜張材としてのワイヤロープ６３で繋がれており、架台６２に作用する荷重が、上階の躯体で支えられる。
【００３４】
支持機構７０は、揚重装置５２に固定され揚重装置５２から上方へ張り出した一対の支持板７２と、一対の支持板７２に支持された一対のガイドローラー７４とを備えている。一対の支持板７２は、水平レール６０をフランジ６０Ｆの幅方向に挟むように配されている。また、ガイドローラー７４は、一対の支持板７２の間に、水平レール６０のウェブ６０Ｗを挟み、下側のフランジ６０Ｆ上を転動できるように配されている。このため、揚重装置５２に水平方向の力が与えられると、ガイドローラー７４が水平レール６０の下側のフランジ６０Ｆ上で転動することにより、揚重装置５２が水平レール６０に沿って移動する。
【００３５】
給電機構８０は、架台６２の先端部にブラケット８１を介して取り付けられたトロリーダクト８２と、外側の支持板７２にブラケット８３を介して取り付けられたトロリー８４とを備えている。トロリーダクト８２は、水平レール６０に沿って延びており、複数列の端子が水平レール６０に沿って配されている。このトロリーダクト８２は電源に接続されている。トロリー８４は、トロリーダクト８２の端子に接触する複数の端子を備え、揚重装置５２と電源ケーブルで接続されている。このため、揚重装置５２の位置や停止・移動の状態にかかわらず、トロリーダクト８２及びトロリー８４を介して揚重装置５２に電源を供給できる。
【００３６】
図１２は、一組の垂直搬送システム１０と水平搬送システム５０とを示す側面図である。この図に示すように、垂直搬送システム１０の揚重装置１２は、フック１２Ｆが水平レール６０とビル外周面との間を通って昇降するように配され、水平搬送システム５０の揚重装置５２は、フック５２Ｆが水平レール６０の直下で昇降するように配されている。
【００３７】
以下、カーテンウォール１を設置位置まで搬送して設置する方法について説明する。まず、カーテンウォール１を垂直搬送システム１０の架台２０に載せる（図２〜４参照）。この工程では、まず、ブラケット３とガイドレール４とをカーテンウォール１に取り付ける。また、架台２０の下方の屋外スペースに台車を設置する。そして、その台車の上にカーテンウォール１を、ブラケット３側が架台２０の下方に位置するように寝かせた状態で載置する。そして、揚重装置２２のフック２２Ｆをブラケット３に掛けて、揚重装置２２によりカーテンウォール１を引揚げる。この際、カーテンウォール１がその上部側から引揚げられるのに追従して台車がビル屋内側へ移動する。これにより、カーテンウォール１の下部が引きずられることを防止でき、カーテンウォール１の下部に傷がつくことを防止できる。
【００３８】
そして、揚重装置２２により架台２０上に引揚げたカーテンウォール１の下部を、下部振れ止め機構２５にセットする。この際、振れ止め材３７のフック部３７Ａの先端を、カーテンウォール１の下部の溝１Ａに嵌める（図８参照）。また、カーテンウォール１の上部を、上部振れ止め機構２６にセットする。この際、振れ止め材３８のフック部３８Ａの先端を、カーテンウォール１の上部の溝１Ｂに嵌める（図９参照）。
【００３９】
つぎに、垂直搬送システム１０の揚重装置１２により架台２０を、カーテンウォール１の設置階まで揚重する（図１２参照）。この工程では、架台２０は、左右両側のガイドローラーユニット２３、２４と、ビル外周面に残置されている左右一対のガイドレール４とにより前後左右に位置決めされた状態で上昇する。ここで、ガイドローラーユニット２３、２４のガイドローラー３１と、ガイドレール４の一対のウェブ４Ｗとにより、架台２０の左右方向の位置決めがなされ、ガイドローラーユニット２３、２４のガイドローラー３２と、ガイドレール４の一対のフランジ４Ｆとにより、架台２０の前後方向の位置決めがなされる。これにより、架台２０を安定した状態で揚重することができる。
【００４０】
つぎに、カーテンウォール１を、垂直搬送システム１０の揚重装置１２から水平搬送システム５０の揚重装置５２に受け替える（図１２参照）。この工程では、まず、水平搬送システム５０の揚重装置５２のフック５２ＦをワイヤロープＷＲ及びシャックルＳを介してブラケット３に取り付け、架台２０の揚重装置２２のフック２２Ｆをブラケット３から取り外す。また、上部振れ止め機構２６の振れ止め材３８をカーテンウォール１の上部の溝１Ｂから外す。そして、揚重装置５２でカーテンウォール１を揚重する。
【００４１】
つぎに、カーテンウォール１を設置位置まで水平に移動させる。ここで、水平搬送システム５０の揚重装置５２は、水平レール６０に水平移動可能に吊り下げられているため、カーテンウォール１をビル外周面に沿って横方向に押すことにより、カーテンウォール１を揚重装置５２と共に水平方向に移動させることができる。
【００４２】
最後に、カーテンウォール１を所定位置に設置する。この工程では、カーテンウォール１の水平方向の位置を調整すると共に、リモコンで揚重装置５２を操作してカーテンウォール１の高さを調節する。そして、カーテンウォール１を所定位置に固定する。その後、ブラケット３をカーテンウォール１から取り外す。
【００４３】
ところで、カーテンウォール１は、建設工事中の高層ビル２の下層の所定階に搬入して、当該階から設置位置まで搬送システム１００により屋外で搬送する。ここで、垂直搬送システム１０によりカーテンウォール１を垂直に搬送する際には、設置済のカーテンウォール１に取り付けられたガイドレール４を使ってカーテンウォール１の搬送を案内する。そのため、カーテンウォール１の設置は、下層から高層へと進めていく。その際、カーテンウォール１の設置を下層で行う際には、下層に設置した搬送システム１００を使用し、カーテンウォール１の設置を高層で行う際には、高層に設置した搬送システム１００を使用する。ここで、カーテンウォール１の搬送路に水平レール６０や架台６２等が位置しないように、カーテンウォール１の設置が完了した階層の水平搬送システム５０は撤去しておく。
【００４４】
ここで、図１０に示すように、本実施形態に係るカーテンウォール１の支持用の架台２０は、揚重装置１２によって揚重される本体フレーム２１と、その本体フレーム２１の下部に設けられ、カーテンウォール１の下部の振れ止めをした状態でカーテンウォール１の荷重を支える下部振れ止め機構２５と、本体フレーム２１における下部振れ止め機構２５よりも上側に設けられ、カーテンウォール１の上部の振れ止めをする上部振れ止め機構２６と、下部振れ止め機構２５と上部振れ止め機構２６との高さ方向の距離を調整する調整機構４０とを備える。
【００４５】
以上の構成を備える架台２０によれば、カーテンウォール１の高さに応じて、調整機構４０により下部振れ止め機構２５と上部振れ止め機構２６との高さ方向の距離を調整することによって、高さが異なる様々な種類のカーテンウォール１を、上下の振れ止めをした状態で支持することができる。従って、高さが異なる各種のカーテンウォール１に専用の架台２０を製作する必要が無くなり、架台２０の製作コストを低減できる。
【００４６】
また、本体フレーム２１に設けた揚重装置２２により、カーテンウォール１を本体フレーム２１に引揚げるようにしたことによって、カーテンウォール１を本体フレーム２１に載せる作業を容易化でき、作業者の労力を軽減できる。
【００４７】
また、本体フレーム２１に設けたガイドローラーユニット２３、２４と、設置済のカーテンウォール１のサッシに着脱可能に設けられたガイドレール４とによって、本体フレーム２１の昇降を案内するようにしたことによって、架台２０を、振れを抑えた安定した状態で昇降させることができる。ここで、ガイドローラーユニット２３、２４では、ガイドローラー３１が、ガイドレール４の一対のウェブ４Ｗをカーテンウォール１の幅方向に挟むことによって、本体フレーム２１のカーテンウォール１の幅方向への振れを抑える。また、ガイドローラー３２が、ガイドレール４の左右両側の溝４Ｃに嵌り込むことによって、本体フレーム２１のカーテンウォール１の厚み方向への振れを抑える。これによって、架台２０を、前後左右の振れを抑えた安定した状態で昇降させることができる。
【００４８】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、ガイドレール４を仮設材とし、カーテンウォール１のサッシに着脱可能に設けたが、ガイドレール４を本設材とし、カーテンウォール１のサッシに一体で設けてもよい。また、架台２０の昇降を案内するためのガイド機構として、ガイドローラー３１、３２をガイドレール４の溝４Ｃに嵌まり込むように設けたが、その代わりにゴム等の弾性部材をガイドレール４の溝４Ｃに嵌まり込むように設ける等してもよい。
【符号の説明】
【００４９】
１  カーテンウォール、１Ａ  溝、１Ｂ  溝、２  高層ビル、３  ブラケット、４  ガイドレール、４Ｃ  溝、４Ｆ  フランジ、４Ｗ  ウェブ、１０  垂直搬送システム、１２  揚重装置、１２Ｆ  フック、１４  架台、１６  移動台、１６Ａ  車輪、１６Ｂ  アンカーブロック、１８  制御盤、１９  コントローラー、２０  架台、２１  本体フレーム、２１Ａ  鋼管、２１Ｂ  鋼管、２１Ｃ  鋼管、２１Ｄ  鋼管、２１Ｅ  鋼管、２１Ｆ  鋼管、２２  揚重装置、２２Ｆ  フック、２３  ガイドローラーユニット、２４  ガイドローラーユニット、２５  下部振れ止め機構、２６  上部振れ止め機構、２７  ワイヤロープ取付部、２８  揚重装置取付部、３１  ガイドローラー、３２  ガイドローラー、３３  ローラーホルダー、３３Ａ  ブラケット、３４  ブラケット、３５  連結ピン、３６  カラー、３７  振れ止め材、３７Ａ  フック部、３８  振れ止め材、３８Ａ  フック部、４０  調整機構、４１  鋼管、５０  水平搬送システム、５２  揚重装置、５２Ｆ  フック、６０  水平レール、６０Ｆ  フランジ、６０Ｗ  ウェブ、６２  架台、６３  ワイヤロープ、７０  支持機構、７２  支持板、７４  ガイドローラー、８０  給電機構、８１  ブラケット、８２  トロリーダクト、８３  ブラケット、８４  トロリー、１００  搬送システム
【図１】
2014114560.tif 000003
【図２】
2014114560.tif 000004
【図３】
2014114560.tif 000005
【図４】
2014114560.tif 000006
【図５】
2014114560.tif 000007
【図６】
2014114560.tif 000008
【図７】
2014114560.tif 000009
【図８】
2014114560.tif 000010
【図９】
2014114560.tif 000011
【図１０】
2014114560.tif 000012
【図１１】
2014114560.tif 000013
【図１２】
2014114560.tif 000014